(57)【要約】【課題】本発明は、利用者認証を行って印刷出力、送信等の画像出力を際に脅迫的な画像出力操作に対して適切に対処する画像出力装置、画像出力制御方法、画像出力制御プログラム及び記録媒体に関する。【解決手段】複合装置１は、利用を許可する利用者を認証する利用者認証情報をＮＶＲＡＭ１２３に登録し、利用を要求する利用者が入力する利用者認証情報とＮＶＲＡＭ１２３に登録されている利用者認証情報を比較して利用の可否を制御して、利用を許可した利用者の画像出力指示に応じて少なくとも画像出力処理を実行するとともに、脅迫スイッチ７１から利用者以外の他人の脅迫によって操作部６０から指示を行っていることを示す脅迫情報を受け付けると、該受け付けた画像出力指示に対して、該画像出力指示内容とは異なる予め設定されている所定の脅迫時処理動作を実行する。したがって、脅迫等による画像出力操作適切に対応することができる。【選択図】          図１
2010045600.tif 000002
【特許請求の範囲】
【請求項１】
利用を許可する利用者を認証する利用者認証情報の登録される認証情報登録手段と、利用を要求する利用者が入力する利用者認証情報と該認証情報登録手段に登録されている利用者認証情報を比較して利用の可否を制御する認証制御手段と、該認証制御手段が利用を許可した利用者の要請に応じて少なくとも画像出力処理を実行する画像出力手段と、少なくとも画像出力に関する各種画像出力指示を行う指示手段と、利用者以外の他人からの脅迫によって該指示手段から指示を行っていることを示す脅迫情報を入力する脅迫情報入力手段と、該指示手段からの画像出力指示に応じて画像出力手段に画像の出力を行わせるとともに、該脅迫情報入力手段から脅迫情報が入力されると、該指示手段からの画像出力指示に対して、該画像出力指示内容とは異なる予め設定されている所定の脅迫時処理動作を実行することを特徴とする制御手段と、を備えていることを特徴とする画像出力装置。
【請求項２】
前記画像出力装置は、画像データを登録する画像データ登録手段と、前記脅迫情報入力手段から脅迫情報が入力されたときに実行する脅迫時処理動作を該画像データ登録手段に登録されている画像データに関連づけて登録する脅迫時処理内容登録手段と、を備え、前記制御手段は、前記脅迫時処理動作として、該指示手段によって出力指示された画像データに関連づけて該脅迫時処理内容登録手段に登録されている脅迫時処理動作を実行することを特徴とする請求項１記載の画像出力装置。
【請求項３】
前記脅迫時処理内容登録手段は、前記指示手段によって指示された画像属性毎に前記脅迫時処理動作を記憶し、前記画像データ登録手段は、画像データと指示手段によって指示された該画像属性を関連づけて記憶し、前記制御手段は、前記脅迫時処理動作として、指示手段によって出力指示された該画像データに対して該画像データ登録手段に登録されている画像属性に対応して該脅迫時処理内容登録手段に登録されている脅迫時処理動作を実行することを特徴とする請求項２記載の画像出力装置。
【請求項４】
前記脅迫時処理動作は、その処理動作として、故障等の異常を装って出力指定された画像データの出力を抑止する処理動作を含むことを特徴とする請求項１から請求項３のいずれかに記載の画像出力装置。
【請求項５】
前記脅迫時処理動作は、その処理動作として、空データを出力する処理動作を含むことを特徴とする請求項１から請求項３のいずれかに記載の画像出力装置。
【請求項６】
利用を許可する利用者を認証する利用者認証情報を認証情報登録手段に登録する認証情報登録処理ステップと、利用を要求する利用者が入力する利用者認証情報と該認証情報登録手段に登録されている利用者認証情報を比較して利用の可否を制御する認証制御処理ステップと、該認証制御処理ステップで利用を許可された利用者の要請に応じて少なくとも画像出力処理を実行する画像出力処理ステップと、所定の指示手段からの少なくとも画像出力に関する各種画像出力指示を受け付ける指示受付処理ステップと、所定の脅迫情報入力手段からの利用者以外の他人の脅迫によって該指示手段から指示を行っていることを示す脅迫情報を受け付ける脅迫情報受付処理ステップと、該指示受付処理ステップで受け付けた画像出力指示に応じて画像出力処理ステップで画像の出力を行わせるとともに、該脅迫情報受付処理ステップで該脅迫情報入力手段から脅迫情報を受け付けると、該指示受付処理ステップで受け付けた画像出力指示に対して、該画像出力指示内容とは異なる予め設定されている所定の脅迫時処理動作を実行する制御処理ステップと、を有していることを特徴とする画像出力制御方法。
【請求項７】
前記画像出力制御方法は、画像データを所定の画像データ登録手段に登録する画像データ登録処理ステップと、前記脅迫情報受付処理ステップで脅迫情報を受け付けたときに実行する脅迫時処理動作を該画像データ登録手段に登録されている画像データに関連づけて脅迫時処理内容登録手段に登録する脅迫時処理内容登録処理ステップと、を有し、前記制御処理ステップは、前記脅迫時処理動作として、該指示受付処理ステップで受け付けた画像出力指示された画像データに関連づけて該脅迫時処理内容登録手段に登録されている脅迫時処理動作を実行することを特徴とする請求項６記載の画像出力制御方法。
【請求項８】
前記脅迫時処理内容登録処理ステップは、前記脅迫時処理内容登録手段に、前記指示手段によって指示された画像属性毎に前記脅迫時処理動作を登録し、画像データ登録処理ステップは、前記画像データ登録手段に、画像データと指示手段によって指示された該画像属性を関連づけて登録し、前記制御処理ステップは、前記脅迫時処理動作として、前記指示受付処理ステップで受け付けた出力指示に対応する画像データに対して該画像データ登録手段に登録されている画像属性に対応して該脅迫時処理内容登録手段に登録されている脅迫時処理動作を実行することを特徴とする請求項７記載の画像出力制御方法。
【請求項９】
コンピュータに、利用を許可する利用者を認証する利用者認証情報を認証情報登録手段に登録する認証情報登録処理、利用を要求する利用者が入力する利用者認証情報と該認証情報登録手段に登録されている利用者認証情報を比較して利用の可否を制御する認証制御処理と、該認証制御処理で利用を許可された利用者の要請に応じて少なくとも画像出力処理を実行する画像出力処理と、所定の指示手段からの少なくとも画像出力に関する各種画像出力指示を受け付ける指示受付処理と、所定の脅迫情報入力手段からの利用者以外の他人の脅迫によって該指示手段から指示を行っていることを示す脅迫情報を受け付ける脅迫情報受付処理と、該指示受付処理で受け付けた画像出力指示に応じて画像出力処理で画像の出力を行わせるとともに、該脅迫情報受付処理で該脅迫情報入力手段から脅迫情報を受け付けると、該指示受付処理で受け付けた画像出力指示に対して、該画像出力指示内容とは異なる予め設定されている所定の脅迫時処理動作を実行する制御処理と、を実行させることを特徴とする画像出力制御プログラム。
【請求項１０】
請求項９記載の画像出力制御プログラムを記録したことを特徴とするコンピュータが読み取り可能な記録媒体。
【発明の詳細な説明】
【技術分野】
【０００１】
本発明は、画像出力装置、画像出力制御方法、画像出力制御プログラム及び記録媒体に関し、詳細には、利用者認証を行って印刷出力、送信等の画像出力を際に脅迫的な画像出力操作に対して適切に対処する画像出力装置、画像出力制御方法、画像出力制御プログラム及び記録媒体に関する。
【背景技術】
【０００２】
近年、フルカラー複写機などの画像出力装置の画質の向上に伴い、紙幣や有価証券等の複写が禁止されている原稿や機密を要する原稿（以下、特定原稿という。）の偽造行為や機密の漏洩という危険性が増加している。
【０００３】
一方、近年、ＡＴＭ（Automatic Teller Machine）が普及するのに伴って、ＡＴＭを利用した犯罪、特に、脅迫により本人の操作による現金の引き出しや振り込み等に対応する技術が提案されている。例えば、脅迫等による操作であるか否かを、カードのスライド方向によって判別する技術（特許文献１参照）、個人認証を行った後、複数の取引承認パスワードを生成して提示し、１つのパスワードは正規の取引を可能とし、他の１つのパスワードは、顧客が脅迫的に現金引き出しをさせられているものと判断して処理を行う技術（特許文献２参照）が提案されている。
【０００４】
そして、ＡＴＭで発生しているような脅迫的な操作の問題が、画像出力装置においても発生することがあり、適切な解決策が要望されている。
【０００５】
【特許文献１】特開平５−１９５６６０号公報
【特許文献２】特表２００６−５１８５１８号公報
【発明の開示】
【発明が解決しようとする課題】
【０００６】
しかしながら、上記従来技術にあっては、ＡＴＭに対する技術であり、かつ、脅迫的な操作に対して、カードのスライド方向を通常方向とは変更させる方向にスライドさせたり、複数の取引承認パスワードを提示して正規の取引とは異なる脅迫的な操作による取引に対して割り当てられている取引承認パスワードを入力するようになっているため、脅迫的な状況にあるものにとって適切に対応するのには、困難であるとともに、技術対象がＡＴＭであり、特定原稿を出力するような画像出力装置には、そのまま適用することができず、改良の必要があった。
【０００７】
そこで、本発明は、脅迫等による画像出力要請に対して適切な処理を提供する画像出力装置、画像出力制御方法、画像出力制御プログラム及び記録媒体を提供することを目的としている。
【課題を解決するための手段】
【０００８】
本発明は、上記目的を達成するために、利用を許可する利用者を認証する利用者認証情報を認証情報登録手段に登録し、利用を要求する利用者が入力する利用者認証情報と該認証情報登録手段に登録されている利用者認証情報を比較して利用の可否を制御して、利用を許可した利用者の画像出力指示に応じて少なくとも画像出力処理を実行するとともに、所定の脅迫情報入力手段からの利用者以外の他人の脅迫によって画像出力指示を行っていることを示す脅迫情報を受け付けると、該受け付けた画像出力指示に対して、該画像出力指示内容とは異なる予め設定されている所定の脅迫時処理動作を実行することを特徴としている。
【０００９】
また、本発明は、画像データを所定の画像データ登録手段に登録し、脅迫情報を受け付けたときに実行する脅迫時処理動作を該画像データ登録手段に登録されている画像データに関連づけて脅迫時処理内容登録手段に登録して、脅迫時処理動作として、画像出力指示された画像データに関連づけて該脅迫時処理内容登録手段に登録されている脅迫時処理動作を実行することを特徴としてもよい。
【００１０】
さらに、本発明は、前記脅迫時処理内容登録手段に、指示された画像属性毎に前記脅迫時処理動作を登録し、前記画像データ登録手段に、画像データと指示された該画像属性を関連づけて登録し、前記脅迫時処理動作として、受け付けた出力指示に対応する画像データに対して該画像データ登録手段に登録されている画像属性に対応して該脅迫時処理内容登録手段に登録されている脅迫時処理動作を実行することを特徴としてもよい。
【発明の効果】
【００１１】
本発明によれば、脅迫等によって利用権限を有する利用者が画像出力操作を行った場合に、該脅迫等による画像出力操作であることを適切かつ脅迫者に分かりにくい状態で認識して、画像出力動作として通常の画像出力動作とは異なる脅迫時処理動作を実行するので、脅迫等による画像出力要請に対して適切な処理を行うことができ、利用者の安全を図りつつ、画像データの機密を適切に保持することができる。
【発明を実施するための最良の形態】
【００１２】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１３】
図１〜図１９は、本発明の画像出力装置、画像出力制御方法、画像出力制御プログラム及び記録媒体の一実施例を示す図であり、図１は、本発明の画像出力装置、画像出力制御方法、画像出力制御プログラム及び記録媒体の一実施例を適用した    １のブロック構成図である。
【００１４】
図１において、複合装置１は、本体筐体２の上面部に、コンタクトガラス３が配設されており、コンタクトガラス３の下方の本体筐体２の内部に、図示しない第１キャリッジに搭載されたランプ４と第１ミラー５、図示しない第２キャリッジに搭載された第２ミラー６と第３ミラー７及びレンズ８とＣＣＤ（Charge Coupled Device ）９からなるスキャナエンジンユニット１０が配設されている。
【００１５】
スキャナエンジンユニット１０は、第１キャリッジ及び第２キャリッジが、図示しないモータにより駆動されて、図１の左右方向である副走査方向に移動し、コンタクトガラス３上に固定的にセットされた原稿を主走査及び副走査して、原稿の画像を読み取る。
【００１６】
複合装置１は、本体筐体２の上部にＡＤＦ（Auto Document Feeder）２０がコンタクトガラス３の上面を開閉可能に取り付けられており、ＡＤＦ２０は、開くことで、コンタクトガラス３上に原稿をセット可能となっていて、コンタクトガラス３上に原稿がセットされた状態で閉じられると、該原稿をコンタクトガラス３に押しつける圧板の機能をも有している。
【００１７】
ＡＤＦ２０は、原稿台２１、給送ローラ２２、給送ベルト２３、該給送ベルト２３に沿って複数設けられた搬送ローラ２４、排紙ローラ２５、排紙台２６及び原稿セット検知センサ２７等が配設されている。
【００１８】
ＡＤＦ２０は、原稿台２１に原稿がその画像面を上にして原稿束がセットされている状態で、操作部６０（図２参照）上のスタートキー６４（図２参照）が押下されると、給送ローラ２２により原稿台２１上にセットされた原稿束の一番下の原稿から１枚ずつ分離して、給送ベルト２３に送り出し、給送ベルト２３に送り出した原稿を搬送ローラ２４で移動される給紙ベルト２３によってコンタクトガラス３上の所定の位置に給送する。
【００１９】
複合装置１は、コンタクトガラス３上の原稿を、スキャナエンジンユニット１０によってその画像情報を読み取った後に、給送ベルト２３、排送ローラ２５によって排紙台２６上に排出する。
【００２０】
このＡＤＦ２０は、一枚の原稿の給送完了毎に原稿枚数をカウントアップするカウント機能を有している。
【００２１】
複写装置１は、原稿セット検知センサ２７が原稿台２１上に次の原稿が有ることを検知すると、上記同様に、原稿台２１上の一番下の原稿を給送ローラ２２及び給送ベルト２３でコンタクトガラス３上の所定の位置に給送し、コンタクトガラス３上の原稿の画像情報を、スキャナエンジンユニット１０で読み取った後、給送ベルト２３、排送ローラ２５によって排紙台２６上に排出する。なお、給送ローラ２２、給送ベルト２３及び排送ローラ２５は、図示しない搬送モータによって駆動される。
【００２２】
複写装置１は、本体筐体２内のスキャナエンジンユニット１０の下方に、プロッタエンジンユニット３０が配設されており、プロッタエンジンユニット３０は、感光体（例えば、感光体ドラム）３１、書き込みユニット３２、現像部３３、搬送ベルト３４、定着部３５、搬送切り替え排紙部３６、両面入紙搬送路３７、反転排紙搬送路３８、反転ユニット３９、両面搬送ユニット４０、給紙部群４１、搬送ユニット４２及び排紙トレイ４３等が配設されている。
【００２３】
プロッタエンジンユニット３０は、図示しないメインモータにより図１の時計方向に回転駆動される感光体３１の表面を、図示しない帯電器により一様に帯電させ、その感光体３１の表面にスキャナエンジンユニット１０で読み取られた画像データまたは図示しない外部装置（例えば、パーソナルコンピュータ等）から送られてきたデータに基づいて書き込みユニット３２により書き込ませて、静電潜像を形成させる。プロッタエンジンユニット３０は、静電潜像の形成された感光体３１に、現像部３３からトナーを供給して、トナー画像として顕像化し、感光体３１上の顕像化したトナー画像を転写機能を兼ね備えた搬送ベルト３４で、給紙部群４１の１つから給紙されて搬送ユニット４２で搬送されてきた用紙Ｐに転写させる。プロッタエンジンユニット３０は、トナー画像の転写された用紙Ｐを搬送ベルト３４で定着部３５に搬送させて、定着部３５で定着処理を行わせた後、搬送切り替え排紙部３６に送って、搬送切り替え排紙部３６で、搬送経路の切り換えを行う。搬送切り替え排紙部３６は、用紙Ｐをそのまま排紙するときには、本体筐体２の側面に設けられた排紙トレイ４３上に排紙させる。プロッタエンジンユニット３０は、転写の完了した感光体３１を図示しないクリーニング部でクリーニングして残留トナーを除去し、図示しない除電部で除電した後、再度、帯電部で一様に帯電させて、次の画像形成に供する。上記書き込みユニット３２は、レーザ出力ユニット３２ａ、結像レンズ３２ｂ、ミラー３２ｃを備えており、レーザ出力ユニット３２ａの内部には、レーザ光源であるレーザダイオード及びモータによって高速で定速回転する回転多面鏡（ポリゴンミラー）が設けられている。書き込みユニット３２は、レーザ出力ユニット３２ａのレーザダイオードから照射され画像データによって変調されたレーザ光を、定速回転するポリゴンミラーで偏光させて、結像レンズ３２ｂを通過させて、ミラー３２ｃに照射し、ミラー３２ｃで感光体３１上に集光させて結像させる。
【００２４】
搬送切り替え排紙部３６には、両面入紙搬送路３７と反転排紙搬送路３８によって、用紙Ｐの表裏面を反転させる反転ユニット３９と反転ユニット３９で反転された用紙Ｐを再度搬送ユニット４２を介して感光体３１と搬送ベルト３４との間に搬送する両面搬送ユニット４０が接続されており、搬送切り替え排紙部３６は、反転排紙または両面記録が選択されていると、片面に画像が形成されて定着の完了した用紙Ｐを反転排紙搬送路３８を介して反転ユニット３９に送り込む。
【００２５】
反転ユニット３９は、反転排紙が選択されていると、搬送切り替え排紙部３６から送り込まれてくる用紙Ｐを一旦引き込んで用紙Ｐの表裏面を反転させた状態で、反転排紙搬送路３８を介して搬送切り替え排紙部３６に送り出し、搬送切り替え排紙部３６は、反転ユニット３９で表裏面の反転された用紙Ｐを排紙トレイ４３上に排出する。
【００２６】
両面搬送ユニット４０は、両面記録が選択されていると、反転ユニット３９が一旦引き込んで表裏面を反転させた用紙Ｐを引き込んで、搬送ユニット４２に送り出し、搬送ユニット４２が、再度、感光体３１と搬送ベルト３４との間に搬送させて、裏面への画像形成に供する。
【００２７】
上記給紙部群４１は、第１給紙部５１から第３給紙部５３の３つの給紙部を備え、各給紙部５１〜５３は、それぞれ第１給紙トレイ５１ａ〜第３給紙トレイ５３ａと、各給紙トレイ５１ａ〜５３ａ内の用紙Ｐを１枚ずつ分離して搬送ユニット４２に送り出す給紙ローラ部５１ｂ〜５３ｂを備えている。給紙部群４１は、選択された給紙部５１〜５３の給紙ローラ部５１ｂ〜５３ｂを駆動させて、該選択された給紙部５１〜５３の給紙トレイ５１ａ〜５３ａ内の用紙Ｐを１枚ずつ分離して搬送ユニット４２に送り出す。
【００２８】
搬送ユニット４２は、給紙部群４１の給紙部５１〜５３から送り出された用紙Ｐを感光体３１と搬送ベルト３４との間に搬送する。
【００２９】
また、複合装置１は、本体筐体２の上部に、図２にその平面図を示すように、操作部（指示手段）６０を備えており、操作部６０は、液晶タッチパネル（液晶ディスプレイ）６１、テンキー６２、クリア／ストップキー６３、スタートキー６４、リセット／認証解除キー６５、予熱キー６６、初期設定キー６７、コピーキー６８及びファックスキー６９等が設けられているとともに、非接触ＩＣカードリーダユニット７０及び脅迫スイッチ７１等が設けられている。液晶タッチパネル６１には、機能キー及びコピー部数、プリント部数や複合装置１の状態を示すメッセージ等の各種情報、例えば、装置本体２内での紙詰まり（ジャム）の発生情報、ドア・カバー類のオープン情報等が表示される。コピーキー６８及びファックスキー６９は、プリンタ装置１のアプリケーションの切り替えを行うキーであり、操作部６０には、コピーキー６８及びファックスキー６９で選択されているアプリケーションを点灯して明示するＬＥＤ（Light Emitting Diode）インジケータ６８ａ、６９ａが設けられている。
【００３０】
上記液晶タッチパネル６１は、例えば、ログインの許可された利用者によってコピーキー６８が押下されると、図３に示すようなコピーモード画面Ｇ０の表示を行い、このコピーモード画面Ｇ０では、例えば、液晶タッチパネル６１の表示領域の左上部には、「コピーできます」、「お待ちください」等のメッセージを表示するメッセージエリア、その右側には、セットした枚数を表示するコピー枚数表示エリア、転写紙を自動的に選択する自動用紙選択キー、コピーを一部ずつページ順にそろえる処理を指定するソートキー、コピーをページ毎に仕分けする処理を指定するスタックキー、ソート処理されたものを一部ずつ綴じる処理を指定するステープルキー、倍率を等倍にセットする等倍キー、拡大／縮小倍率をセットする変倍キー、両面モードを設定する両面キー、とじ代モード等を設定する編集キー、表紙／合紙モードを設定する表紙／合紙キー等が表示される。また、液晶タッチパネル６１は、選択されているモードについては、該モードのキーを網掛け表示（黒反転表示）する。
【００３１】
そして、液晶タッチパネル６１は、利用者が液晶タッチパネル６１に表示された機能キーにタッチすることで、選択された機能を示す機能キーを黒く反転させる。また、液晶タッチパネル６１は、機能の詳細を指定する場合（例えば、変倍であれば、変倍値等）に、機能キーにタッチされると、詳細機能の設定画面を表示する。このように、液晶タッチパネル６１は、ドット表示器を使用しているため、そのときの最適な表示をグラフィカルに行うことができる。
【００３２】
予熱キー６６は、複合装置１を待機状態から電力低減状態に移行させて、定着温度を低下させたり、操作部６０の表示を消灯するのに使用される。予熱状態は、国際エネルギースター計画での低電力状態を意味している。また、予熱状態、オフ状態／スリープ状態を解除し、待機状態に移行させるには、この予熱キー６６を再度押下する。
【００３３】
初期設定キー６７は、複合装置１の初期状態を任意にカスタマイズする際に押下され、複合装置１が収納している用紙サイズを設定したり、コピー機能のモードクリアキーを押したときに設定される状態を任意に設定したり、また、一定時間操作が無いときに優先して選択されるアプリケーション等の選択設定を行ったり、国際エネルギースター計画に従った低電力への移行時間の設定やオートオフ／スリープモードへ移行する時間の設定を行ったりすることができる。特に、初期設定キー６７は、後述する本発明の画像出力制御処理において脅迫的な画像出力要求に対する対応策（脅迫自動さ処理内容）を画像データの属性（金券、社外秘等）毎に登録、変更、削除を行うのに使用される。
【００３４】
コピーキー６８は、原稿画像のコピーを行う際に押下され、ファックスキー６９は、ファクシミリ送信やファクシミリ受信を複合装置１に実行させるときに押下される。
【００３５】
ＩＣカードリーダユニット７０は、例えば、ＩＣカードリーダ７０から所定の距離範囲に位置する利用者の所持するＩＣカード（認証情報記録媒体）と通信を行って該ＩＣカードに記録されている利用者認証情報、例えば、ＰＩＮ（Personal Identity Number）コードやログイン名、パスワード等を受信する。
【００３６】
脅迫スイッチ（脅迫情報入力手段）７１は、操作部６０の角に設けられており、脅迫者から見えにくい場所に配設されていることが望ましいが、図２では、説明上分かりやすい場所に配置されているように描かれている。脅迫スイッチ７１は、プリンタ装置１の操作権限を有する利用者が操作権限を有していない脅迫者に脅迫されて画像出力操作を行う場合に、脅迫されて操作していることを通知するために使用されるスイッチである。
【００３７】
そして、複合装置１は、図４に示すように、ブロック構成されており、メインコントローラ１００、ＩＰＵ（Image Processing Unit：画像処理ユニット）１０１、上記定着部３５、ＡＤＦ（Auto Document Feeder）２０、ＡＤＦ２０の搬送モータ１０２、ＡＤＦ２０の原稿台への原稿のセットを検出する原稿セット検知センサ２７、メインモータ１０３、中間クラッチ１０４、第１から第３給紙クラッチ１０５〜１０７及び上記操作部６０、操作部６０の液晶タッチパネル６１、テンキー６２からファックスキー６９を総称するキー入力部１０８、脅迫スイッチ７１、ＩＣカードリーダユニット７０、ＮＩＣ（Network Interface Card）１０９及びＦＣＵ（Facsimile Control Unit）１１０等を備えている。上記ＡＤＦ２０、操作部６０及びＩＰＵ１０１は、分散制御部としてメインコントローラ１００に接続されており、これらの各分散制御部とメインコントローラ１００とは、必要に応じて機器の状態や動作指示のやり取りを行う。また、メインコントローラ１００には、メインモータ１０３、中間クラッチ１０４、第１〜第３給紙クラッチ１０５〜１０７、定着部３５及びＩＣカードリーダユニット７０が、に直接接続されている。
【００３８】
ＮＩＣ１０９には、他の複合装置及びホスト装置等のネットワーク端末の接続されているネットワークが接続され、ＮＩＣ１０９は、該ネットワークを介して他の複合装置やホスト装置等のネットワーク端末と通信を行う。
【００３９】
ＦＣＵ１１０には、電話回線が接続されており、ＦＣＵ１１０は、回線の捕捉、発信先電話番号である選択信号の送出、着信の検出等を行って、回線からの発呼に対して自動着呼し、回線への自動発呼処理を行うとともに、相手ファクシミリ装置との間でファクシミリ制御信号を交換して、Ｇ３及びＧ４のファクシミリ通信手順を実行する。
【００４０】
ＩＰＵ１０１は、スキャナエンジンユニット１０からの画像データに所定の画像処理を施して、該画像処理後の画像データを図示しない画像メモリに保存し、また、画像メモリから読み出した画像データに必要な画像処理、例えば、解像度調整、画像回転、画像拡大／縮小等の画像処理を施して、該画像処理後の画像データをメインコントローラ１００に渡す。
【００４１】
メインコントローラ１００は、ＭＰＵ（Micro Processing Unit）１２０、ＲＡＭ（Random Access Memory）１２１、ＲＯＭ（Read Only Memory）１２２及びＮＶＲＡＭ（Non-Volatile Random Access Memory）１２３等を備えている。
【００４２】
ＲＯＭ１２２は、データの処理や管理及び周辺モジュールを制御するためのプログラム、具体的には、複合装置１としての基本処理プログラム及び後述する脅迫的画像出力を制御する画像出力制御方法を実行する画像出力制御プログラム等の各種プログラムを格納しているとともに、これらの各プログラムを実行するのに必要な各種データを格納している。
【００４３】
すなわち、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の画像出力制御方法を実行する画像出力制御プログラムを読み込んでＲＯＭ１２２や図示しないハードディスク等に導入することで、後述する脅迫的画像出力を適切に処理する画像出力制御方法を実行する画像出力装置として構築されている。この画像出力制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００４４】
ＭＰＵ（認証制御手段、制御手段）１２０は、ＲＯＭ１２２内のプログラムに基づいて、ＲＡＭ１２１をワークメモリとして利用しつつ、複合装置１の各部を制御して、複合装置１としての基本処理を実行するとともに、後述する脅迫的画像出力を適切に制御する画像出力制御処理を実行する。
【００４５】
ＮＶＲＡＭ（認証情報登録手段、画像データ登録手段、脅迫時処理内容登録手段）１２３は、複合装置１の電源が切られているときにも記憶内容を保持するメモリであり、複合装置１の電源がオフの際にも保持する必要のあるデータ、特に、後述する画像出力制御で使用する各種データや設定情報、画像データ、複合装置１の利用を許可する利用者に関する利用者認証情報や脅迫スイッチ７１が押されたときの画像出力制御処理（脅迫時処理内容）の制御データ等をＭＰＵ１２０の制御下で記憶する。
【００４６】
メインコントローラ１００は、ＡＤＦ２０の原稿台２１への原稿のセットを検出する原稿セット検知センサ２７の検出結果等に基づいて搬送モータ１０２等の駆動を制御して、ＡＤＦ２０の動作を制御し、メインモータ１０３、中間クラッチ１０４及び第１〜第３給紙クラッチ１０５〜１０７等を制御して、スキャナエンジンユニット１０及びプロッタエンジンユニット３０を制御して、原稿読み取り動作（スキャナ動作）、画像形成動作（プリント動作）、コピー動作を制御するとともに、図示しないファクシミリユニットを制御して、ファクシミリ動作処理等を実行する。
【００４７】
ＩＣカードリーダユニット７０は、上述のように、ＩＣカードリーダユニット７０から所定距離の範囲に位置する利用者の所持するＩＣカード（認証情報記録媒体）と既知の方式で通信を行って該ＩＣカードに記録されている利用者認証情報を受信する。また、ＩＣカードリーダユニット７０が通信する対象のＩＣカードは、所定のフォーマット方式でフォーマットされて、該ＩＣカードを所持して複合装置１に認証要求する利用者を特定するのに必要な利用者認証情報、例えば、ＰＩＮ（Personal Identity Number）コード等が記録されている。
【００４８】
メインコントローラ１００は、後述するように、ＩＣカードリーダユニット７０を利用した利用者認証処理（例えば、利用者のＩＣカードから読み取ったＰＩＮコードが予めＮＶＲＡＭ１２３に利用許可対象の利用者として登録されている利用者のＰＩＮコードと一致することを確認する処理）を行って、利用者認証に適合した利用者に対して画像出力等の複合装置１の利用を許可するが、該複合装置１の利用、特に、画像出力において、該利用者を脅迫等によって強制的に画像出力を行わせて、該出力される出力画像を横取りする脅迫者に強制的（脅迫的）に画像出力させられる場合に、脅迫スイッチ７１を脅迫的に画像出力させられる利用権限を有する利用者が操作すると、予め設定されている脅迫的画像出力制御処理（脅迫時処理）を実行する。
【００４９】
次に、本実施例の作用を説明する。本実施例の複合装置１は、その利用に利用者認証を必要とするが、脅迫的利用に対しても適切に対応する。
【００５０】
まず、利用者認証処理について、図５に基づいて説明する。複合装置１は、待機時には、操作部６０の液晶タッチパネル６１に、例えば、図６に示すような認証待ち受け画面Ｇ１を表示させて待機状態となっている（ステップＳ１０１）。図６の認証待ち受け画面Ｇ１では、「ＩＣカードを認証装置に近づけてください」等の利用者認証に必要な動作を依頼する表示を行っている。
【００５１】
複合装置１は、ＩＣカードリーダユニット７０がＩＣカードを検出すると（ステップＳ１０２）、ＩＣカードリーダユニット７０がＩＣカード内のＰＩＮコードがあるかチェックして（ステップＳ１０３）、ＰＩＮコードがあるときには、該ＰＩＮコードをメインコントローラ１００に通知して、コントローラ１００が操作部６０の液晶タッチパネル６１に、例えば、図７に示すようなＰＩＮコード入力画面Ｇ２を表示して、ＰＩＮコードの入力を要求する（ステップＳ１０４）。図７のＰＩＮコード入力画面Ｇ２では、ＰＩＮコードの入力依頼のメッセージと入力欄を表示している。
【００５２】
ＰＩＮコード入力画面Ｇ２でＰＩＮコードが入力されると、メインコントローラ１００は、入力されたＰＩＮコードと一致するＰＩＮコードがＮＶＲＡＭ１２３に操作許可対象の利用者のＰＩＮコードとして登録されている登録ＰＩＮコードと一致するかチェックし（ステップＳ１０５）、ＰＩＮコードが一致しない（ＯＫでない）ときには、図８に示すようなＰＩＮコードの認証エラーを通知する認証エラー画面Ｇ３を液晶タッチパネル６１に所定時間（例えば、数秒間）表示させた後（ステップＳ１０６）、再度、ステップＳ１０１に戻って、認証待ち受け画面Ｇ１を液晶タッチパネル６１に表示させる（ステップＳ１０１）。
【００５３】
ステップＳ１０５で、ＰＩＮコードが一致すると、メインコントローラ１００は、ＩＣカード内の利用者認証情報（ログイン名やパスワード等）を読み出し、予めＮＶＲＡＭ１２３内に利用可能認証者の該ＰＩＮコードに対応して登録されているログイン名やパスワード等の利用者認証情報を照合して（ステップＳ１０８）、一致するか判断する（ステップＳ１０９）。ステップＳ１０９で、ＩＣカードの利用者認証情報とＮＶＲＡＭ１２３に登録されている利用者認証情報が一致しないとき、認証がＮＧであるときには、メインコントローラ１００は、図８に示した認証エラー画面Ｇ３を操作部６０の液晶タッチパネル６１に表示した後（ステップＳ１０６）、ステップＳ１０１に戻って、上記同様に処理する（ステップＳ１０１〜Ｓ１０９）。
【００５４】
ステップＳ１０９で、利用者認証情報の認証結果がＯＫのときには、メインコントローラ１００は、脅迫フラグ（脅迫的に画像出力操作が行われていることを示すフラグ）をＯＦＦ（解除）にして（ステップＳ１１０）、ログインを許可して、ログイン画面Ｇ１を消去し、指定のアプリケーションの利用画面、例えば、コピーモードでは、図３に示したようなコピーモード画面Ｇ０表示、スキャナモードでは、図９に示すようなスキャナモード画面Ｇ４、印刷モードでは、図１０に示すような印刷モード画面Ｇ５を表示して、利用者認証処理を終了する。
【００５５】
なお、複合装置１へのログイン状態（利用可能状態）を解除するには、ログインした利用者が操作部６０のリセット／認証解除キー６５を押下する。すなわち、メインコントローラ１００は、ログイン許可中にリセット／認証解除キー６５が押下されると、該ログイン許可中の利用者の利用許可を解除する。
【００５６】
なお、上記説明では、ＩＣカードから読み取ったログイン名やパスワード等の利用者認証情報とＮＶＲＡＭ１２３の利用者認証情報を照合することで、利用者認証を行っているが、利用者認証では、例えば、ログイン名やパスワード等の利用者認証情報をＩＣカードから読み取るのではなく、例えば、操作部６０のハードキーからの利用者認証情報の入力や液晶タッチパネル６１のソフトキーからの利用者認証情報の入力等によって行って認証処理を行うようにしてもよい。
【００５７】
そして、ログインが完了すると、次に、選択された動作モードでの処理を実行する。まず、図１１に示すように、画像読み取り・蓄積処理について、図１１に基づいて説明する。画像読み取り・蓄積処理では、図９に示したようなスキャナモード画面Ｇ４を操作部６０の液晶タッチパネル６１に表示しており、メインコントローラ１００は、この状態で、スタートキー６４が押下されたかチェックし（ステップＳ２０１）、スタートキー６４が押下されないと、処理を終了して、スキャナモード画面Ｇ４を表示して、スタートキー６４が押下されると、原稿セット検知センサ２７の検知結果によるＡＤＦ２０の原稿台２１上に原稿がセットされているか、あるいは、コンタクトガラス３上に原稿がセットされているかをチェックする（ステップＳ２０２）。なお、以下の説明では、ＡＤＦ２０から原稿を搬送するものとして説明する。
【００５８】
ステップＳ２０２で、原稿がセットされていないときには、メインコントローラ１００は、原稿セットを促す原稿セット要求画面（図示略）等を所定時間（数秒等）表示した後、ステップＳ２０１に戻って、上記同様に処理する。
【００５９】
ステップＳ２０２で、原稿がセットされていると、メインコントローラ１００は、搬送モータ１０２等の駆動を制御して、ＡＤＦ２０の原稿台２１上から原稿をコンタクトガラス３上に給紙し（ステップＳ２０３）、コンタクトガラス３上の原稿をスキャナエンジンユニット１０でスキャンして（ステップＳ２０４）、読み取った原稿の画像データをＲＡＭ１２１等の画像メモリへ蓄積する（ステップＳ２０５）。
【００６０】
メインコントローラ１００は、読み取った画像データの画像メモリへの蓄積を行うと、次原稿がＡＤＦ２０の原稿台２１に残っているかチェックし（ステップＳ２０６）、残っているときには、ステップＳ２０３に戻って、次の原稿の搬送から上記同様に原稿の読み取りを行って、読み取った原稿の画像データの画像メモリへの蓄積を行う（ステップＳ２０３〜Ｓ２０６）。
【００６１】
ステップＳ２０６で、次原稿がないときには、メインコントローラ１００は、例えば、図１２に示すような登録属性設定画面Ｇ６を入力が完了するのを待つ（ステップＳ２０８）。図１２の登録属性設定画面Ｇ６では、登録データ属性設定のメッセージを表示するとともに、登録データ名称（登録データｎ）の入力欄と属性設定欄（図１２では、「金券」と「社外秘」）及びＯＫボタンが表示されている。
【００６２】
ステップＳ２０８で、ＯＫボタンが押下されて入力が完了すると、メインコントローラ１００は、ＮＶＲＡＭ１２３等の画情報メモリに上記画像データに関連付けて該設定された属性データを登録して、処理を終了する（ステップＳ２０９）。
【００６３】
この状態で、金券や社外秘の画像データの画像属性と該画像データとが関連付けられた状態で登録される。
【００６４】
そして、この画像属性に対する詳細な設定については、操作部６０の初期設定キー６７の押下によって属性設定モードに移行して登録データ属性の詳細設定を行うことができる。すなわち、メインコントローラ１００は、操作部６０の初期設定キー６７が押下されて登録データ属性詳細設定モードが選択されると、図１３に示すような登録デコーダ属性詳細設定画面Ｇ７を操作部６０の液晶タッチパネル６１に表示させ、金券、社外秘等の画像データの属性毎に、各種属性、図１３では、脅迫時印刷抑制の「する」、「しない」、脅迫時送信抑制の「する」、「しない」の設定と変更欄及びＯＫボタンが設けられており、脅迫時に、該属性の画像データを印刷抑制して印刷しないようにするのか、印刷を実行するのか、また、他の装置に送信を抑制して送信しないようにするのか、送信を実行するのかを設定することができる。なお、画像属性としては、上記説明では、「金券」と「社外秘」について説明しているが、これらに限るものではなく、また、脅迫時処理内容として、画像出力（画像形成や送信）の抑制（抑止）を「する」、「しない」の２通りのうちから選択するようになっているが、脅迫時処理内容としては、コントローラレアの２通りに限るものではない。
【００６５】
次に、金券や社外秘等の画像データがＮＶＲＡＭ１２３やハードディスクに保管されている状態で、脅迫的に利用権限を有する利用者が複合装置１を操作したときの画像出力制御処理について、図１４〜図１９に基づいて説明する。
【００６６】
まず、脅迫スイッチ７１がオン／オフをチェックする脅迫スイッチチェック処理について、図１４に基づいて説明する。
【００６７】
複合装置１は、図１４に示すように、メインコントローラ１００が、上記利用権限を有する利用者によってログインが行われているか（ユーザログイン中か否か）を所定タイミング毎にチェックし（ステップＳ３０１）、ログイン中でないときには、脅迫的画像出力の制御を行う必要がないため、そのまま脅迫スイッチチェック処理を終了する。
【００６８】
ステップＳ３０１で、利用者がログインしているときには、すなわち、ユーザログイン中のときには、メインコントローラ１００は、脅迫スイッチ７１がオンになったか否かを、所定時間間隔毎に、脅迫スイッチ７１とのポーリング処理等によってチェックし（ステップＳ３０２）、オフのときには、脅迫的画像出力が行われていないと判断して、脅迫スイッチチェック処理を終了する。
【００６９】
ステップＳ３０２で、脅迫スイッチ７１がオンになっていると、メインコントローラ１００は、利用権限を有する利用者が脅迫的に画像出力操作を行わされていることを示す脅迫フラグをオンにして、脅迫スイッチチェック処理を終了する（ステップＳ３０３）。そして、メインコントローラ１００は、この脅迫フラグを、一旦オンにすると、該利用者がログオフするまで、脅迫フラグのオン状態を維持する。
【００７０】
この場合、単に脅迫フラグをオンにして、後述する画像出力を行うか否か等の画像出力制御処理を行うだけでなく、図１５に示すように、複合装置１の故障を装う処理を行ってもよい。
【００７１】
なお、図１５の説明においては、図１４と同様の処理ステップには、同一のステップナンバを付して、その説明を簡略化する。
【００７２】
すなわち、図１５において、メインコントローラ１００は、ユーザログイン中かチェックして、ユーザログイン中であると、脅迫スイッチ７１がオンであるかチェックし（ステップＳ３０２）、脅迫スイッチ７１がオンであると、脅迫フラグをオンにして（ステップＳ３０３）、図１６に示すような擬似サービスコール画面Ｇ８を、操作部６０の液晶タッチパネル６１に表示して、脅迫者に対して複合装置１に故障が発生しているかのように思わせる表示を行って、脅迫スイッチチェック処理を終了する（ステップＳ３０４）。
【００７３】
このようにすると、脅迫者に利用者が脅迫的操作を強いられる時間を短くすることができる。
【００７４】
そして、複合装置１は、ログイン中の利用者による画像出力要求に対する画像出力制御処理を、図１７〜図１９に示すように処理する。まず、メインコントローラ１００は、図１７に示すように、ログイン中の利用者による実行対象選択制御処理を行う。この実行対象選択制御処理では、メインコントローラ１００は、スタートキー６４が押下されるのを待ち（ステップＳ４０１）、スタートキー６４が押下されると、処理対象の画像データが選択済みであるかチェックし（ステップＳ４０２）、チェック済みでないときには、ステップＳ４０１に戻って、同様の処理を行う（ステップＳ４０１、Ｓ４０２）。このとき、処理対象の画像データの選択を促す表示を操作部６０の液晶タッチパネル６１に行うようにしてもよい。
【００７５】
ステップＳ４０２で、処理対象の画像データの選択が行われていると、メインコントローラ１００は、処理内容が、印刷処理であるのか、送信処理であるかをチェックし（ステップＳ４０３）、印刷処理が選択されているときには、印刷制御処理を実行して（ステップＳ４０４）、ログイン中である限り、ステップＳ４０１に戻って、上記同様に処理を行う。
【００７６】
ステップＳ４０３で、画像データが処理内容が送信処理であるときには、メインコントローラ１００は、送信制御処理を実行して（ステップＳ４０５）、ログイン中である限り、ステップＳ４０１に戻って、上記同様に処理を行う。
【００７７】
そして、メインコントローラ１００は、ステップＳ４０４の印刷制御処理を、図１８に示すように実行する。すなわち、メインコントローラ１００は、図１７の実行対象選択制御処理でステップＳ４０４の印刷制御処理に移行すると、選択済みの画像データに対して脅迫フラグがセット（オン）であるかチェックし（ステップＳ５０１）、脅迫フラグがオフのときには、印刷要求が脅迫的ではないと判断して、そのまま選択されている画像データの印刷処理を実行して、処理を終了する（ステップＳ５０４）。
【００７８】
ステップＳ５０１で、選択されている画像データに対して脅迫フラグがセットされているときには、メインコントローラ１００は、該画像データに対する属性１が有効であるか、属性２が有効であるか、すなわち、該画像データに対して設定されている属性が属性１（金券）であるのか、属性２（社外秘）であるのかをチェックし（ステップＳ５０２、Ｓ５０３）、属性１が有効のとき、すなわち、金券の画像データとして設定登録されているときには、該画像データに対して印刷抑制（抑止）が設定されているかチェックする（ステップＳ５０５）。ステップＳ５０５で、印刷抑制（抑止）が設定されていないときには、メインコントローラ１００は、ステップＳ５０３に移行して、属性２が有効であるかチェックし（ステップＳ５０３）、ステップＳ５０５で、該画像データに対して印刷抑制（抑止）が設定されているときには、無効画像を印刷出力して処理を終了する（ステップＳ５０６）。この無効画像としては、例えば、白紙、利用者や脅迫者にとって無意味な画像、利用者には理解できるが、脅迫者には理解できない特定の画像等を用いることができ、ＮＶＲＡＭ１２３等に予め格納されている。
【００７９】
ステップＳ５０３で、属性２が有効のときには、すなわち、社外秘の画像データとして設定登録されているときには、メインコントローラ１００は、該画像データに対して印刷抑制（抑止）が設定されているのかチェックし（ステップＳ５０７）、印刷抑制（抑止）が設定されていないときには、印刷要求が脅迫的ではないと判断して、選択されている画像データの印刷処理を実行して、処理を終了する（ステップＳ５０４）。
【００８０】
ステップＳ５０７で、該属性２の画像データ（社外秘の画像データ）に対して、印刷抑制（抑止）が設定されているときには、無効画像を印刷出力して処理を終了する（ステップＳ５０６）。
【００８１】
また、メインコントローラ１００は、図１７のステップＳ４０５の送信制御処理を、図１９に示すように実行する。すなわち、メインコントローラ１００は、図１７の実行対象選択制御処理でステップＳ４０５の送信制御処理に移行すると、選択済みの画像データに対して脅迫フラグがセット（オン）であるかチェックし（ステップＳ６０１）、脅迫フラグがオフのときには、送信要求が脅迫的ではないと判断して、宛先が入力されるのを待って（ステップＳ６０４）、該入力された宛先に該選択されている画像データを送信、例えば、入力されたファクシミリ電話番号先にファクシミリ送信したり、アドレス入力されたネットワークアドレス宛にデータ送信するデータ送信処理を行って、処理を終了する（ステップＳ６０５）。
【００８２】
ステップＳ６０１で、選択されている画像データに対して脅迫フラグがセットされているときには、メインコントローラ１００は、該画像データに対する属性１が有効であるか、属性２が有効であるか、すなわち、該画像データに対して設定されている属性が属性１（金券）であるのか、属性２（社外秘）であるのかをチェックし（ステップＳ６０２、Ｓ６０３）、属性１が有効のとき、すなわち、金券の画像データとして設定登録されているときには、該画像データに対して送信抑制（抑止）が設定されているかチェックする（ステップＳ６０６）。ステップＳ６０６で、印刷抑制（抑止）が設定されていないときには、メインコントローラ１００は、ステップＳ６０３に移行して、属性２が有効であるかチェックし（ステップＳ６０３）、ステップＳ６０６で、該画像データに対して送信抑制（抑止）が設定されているときには、送信処理を行うことなく、そのまま処理を終了する。この場合、送信処理を行ったかのような擬似送信処理を実行したり、無効画像、例えば、白紙、利用者や脅迫者にとって無意味な画像、利用者には理解できるが、脅迫者には理解できない特定の画像等）を指定の宛先に送信したり、複合装置１の管理者宛、あるいは、警察等の予め通報先として設定されている宛先に脅迫的送信が行われている旨の画像データを送信してもよい。
【００８３】
ステップＳ６０３で、属性２が有効のときには、すなわち、社外秘の画像データとして設定登録されているときには、メインコントローラ１００は、該画像データに対して送信抑制（抑止）が設定されているのかチェックし（ステップＳ６０７）、送信抑制（抑止）が設定されていないときには、送信要求が脅迫的ではないと判断して、宛先が入力されるのを待って（ステップＳ６０４）、該入力された宛先に該選択されている画像データを送信、例えば、入力されたファクシミリ電話番号先にファクシミリ送信したり、アドレス入力されたネットワークアドレス宛にデータ送信するデータ送信処理を行って、処理を終了する（ステップＳ６０５）。
【００８４】
ステップＳ６０７で、該属性２の画像データ（社外秘の画像データ）に対して、送信抑制（抑止）が設定されているときには、メインコントローラ１００は、送信処理を行うことなく、そのまま処理を終了する。この場合、上記属性１の場合と同様に、送信処理を行ったかのような擬似送信処理を実行したり、無効画像、例えば、白紙、利用者や脅迫者にとって無意味な画像、利用者には理解できるが、脅迫者には理解できない特定の画像等）を指定の宛先に送信したり、複合装置１の管理者宛、あるいは、警察等の予め通報先として設定されている宛先に脅迫的送信が行われている旨の画像データを送信してもよい。
【００８５】
このように、本実施例の複合装置１は、利用を許可する利用者を認証する利用者認証情報をＮＶＲＡＭ１２３に登録し、利用を要求する利用者が入力する利用者認証情報とＮＶＲＡＭ１２３に登録されている利用者認証情報を比較して利用の可否を制御して、利用を許可した利用者の画像出力指示に応じて少なくとも画像出力処理を実行するとともに、脅迫スイッチ７１から利用者以外の他人の脅迫によって操作部６０から指示を行っていることを示す脅迫情報を受け付けると、該受け付けた画像出力指示に対して、該画像出力指示内容とは異なる予め設定されている所定の脅迫時処理動作を実行している。
【００８６】
したがって、脅迫等によって利用権限を有する利用者が画像出力操作を行った場合に、該脅迫等による画像出力操作であることを適切かつ脅迫者に分かりにくい状態で認識して、画像出力動作として通常の画像出力動作とは異なる脅迫時処理動作を実行し、脅迫等による画像出力要請に対して適切な処理を行うことができ、利用者の安全を図りつつ、画像データの機密を適切に保持することができる。
【００８７】
また、本本実施例の複合装置１は、画像データをＮＶＲＡＭ１２３に登録し、脅迫情報を受け付けたときに実行する脅迫時処理動作をＮＶＲＡＭ１２３に登録されている画像データに関連づけてＮＶＲＡＭ１２３に登録して、脅迫時処理動作として、画像出力指示された画像データに関連づけてＮＶＲＡＭ１２３に登録されている脅迫時処理動作を実行している。
【００８８】
したがって、利用環境等に応じて脅迫時処理動作を設定して、脅迫時に該登録した処理を実行することができ、より一層利用性を向上させることができるとともに、脅迫時により一層適切な処理を行うことができる。
【００８９】
さらに、本実施例の複合装置１は、ＮＶＲＡＭ１２３に、操作部６０によって指示された画像属性（金券、社外秘等）毎に脅迫時処理動作を登録し、また、画像データと操作部６０によって指示された該画像属性を関連づけて登録し、脅迫時処理動作として、受け付けた出力指示に対応する画像データに対してＮＶＲＡＭ１２３に登録されている画像属性に対応して登録されている脅迫時処理動作を実行している。
【００９０】
したがって、利用環境等に応じてより一層きめ細かく脅迫時処理動作を設定して、脅迫時に該登録した処理を実行することができ、より一層利用性を向上させることができるとともに、脅迫時により一層適切な処理を行うことができる。
【００９１】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００９２】
本発明は、脅迫的な画像出力を適切に処理する画像出力制御処理を行う複写装置、プリンタ装置、ファクシミリ装置、複合装置等の画像出力装置、画像出力制御方法、画像出力制御プログラム及び記録媒体に利用することができる。
【図面の簡単な説明】
【００９３】
【図１】本発明の一実施例を適用した複合装置の正面概略構成図。
【図２】図１の複合装置の操作部の平面図。
【図３】図２の操作部の液晶タッチパネルのコピーモード画面の一例を示す図。
【図４】図１の複合装置の要部ブロック構成図。
【図５】図１の複合装置による利用者認証処理を示すフローチャート。
【図６】液晶タッチパネルの認証待ち受け画面の一例を示す図。
【図７】液晶タッチパネルのＰＩＮコード入力画面の一例を示す図。
【図８】液晶タッチパネルの認証エラー画面の一例を示す図。
【図９】液晶タッチパネルのスキャナモード画面の一例を示す図。
【図１０】液晶タッチパネルの印刷モード画面の一例を示す図。
【図１１】図１の複合装置による画像読み取り・蓄積処理を示すフローチャート。
【図１２】液晶タッチパネルの登録データ属性設定画面の一例を示す図。
【図１３】液晶タッチパネルの登録データ属性詳細設定画面の一例を示す図。
【図１４】図１の複合装置による脅迫スイッチチェック処理を示すフローチャート。
【図１５】図１の複合装置によるサービスコール表示を伴う脅迫スイッチチェック処理を示すフローチャート。
【図１６】液晶タッチパネルの擬似サービスコール画面の一例を示す図。
【図１７】図１の複合装置による実行対象選択制御処理を示すフローチャート。
【図１８】図１７の印刷制御処理の詳細な処理を示すフローチャート。
【図１９】図１７の送信制御処理の詳細な処理を示すフローチャート。
【符号の説明】
【００９４】
１  複合装置
２  本体筐体
３  コンタクトガラス
４  ランプ
５  第１ミラー
６  第２ミラー
７  第３ミラー
８  レンズ
９  ＣＣＤ
１０  スキャナエンジンユニット
２０  ＡＤＦ
２１  原稿台
２２  給送ローラ
２３  給送ベルト
２４  搬送ローラ
２５  排紙ローラ
２６  排紙台
２７  原稿セット検知センサ
３０  プロッタエンジンユニット
３１  感光体
３２  書き込みユニット
３２ａ  レーザ出力ユニット
３２ｂ  結像レンズ
３２ｃ  ミラー
３３  現像部
３４  搬送ベルト
３５  定着部
３６  搬送切り替え排紙部
３７  両面入紙搬送路
３８  反転排紙搬送路
３９  反転ユニット
４０  両面搬送ユニット
４１  給紙部群
４２  搬送ユニット
４３  排紙トレイ
５１〜５３  給紙部
５１ａ〜５３ａ  給紙トレイ
Ｐ  用紙
５１ｂ〜５３ｂ  給紙ローラ部
６０  操作部
６１  液晶タッチパネル
６２  テンキー
６３  クリア／ストップキー
６４  スタートキー
６５  リセット／認証解除キー
６６  予熱キー
６７  初期設定キー
６８  コピーキー
６９  ファックスキー
６８ａ、６９ａ  ＬＥＤインジケータ
７０  ＩＣカードリーダユニット
７１  脅迫スイッチ
１００  メインコントローラ
１０１  ＩＰＵ
１０２  搬送モータ
１０３  メインモータ
１０４  中間クラッチ
１０５〜１０７  第１〜第３給紙クラッチ
１０８  キー入力部
１０９  ＮＩＣ
１１０  ＦＣＵ
１２０  ＭＰＵ
１２１  ＲＡＭ
１２２  ＲＯＭ
１２３  ＮＶＲＡＭ
Ｇ０  コピーモード画面
Ｇ１  認証待ち受け画面
Ｇ２  ＰＩＮコード入力画面
Ｇ３  認証エラー画面
Ｇ４  スキャナモード画面
Ｇ５  印刷モード画面
Ｇ６  登録属性設定画面
Ｇ７  登録デコーダ属性詳細設定画面
Ｇ８  擬似サービスコール画面
【図１】
2010045600.tif 000003
【図２】
2010045600.tif 000004
【図３】
2010045600.tif 000005
【図４】
2010045600.tif 000006
【図５】
2010045600.tif 000007
【図６】
2010045600.tif 000008
【図７】
2010045600.tif 000009
【図８】
2010045600.tif 000010
【図９】
2010045600.tif 000011
【図１０】
2010045600.tif 000012
【図１１】
2010045600.tif 000013
【図１２】
2010045600.tif 000014
【図１３】
2010045600.tif 000015
【図１４】
2010045600.tif 000016
【図１５】
2010045600.tif 000017
【図１６】
2010045600.tif 000018
【図１７】
2010045600.tif 000019
【図１８】
2010045600.tif 000020
【図１９】
2010045600.tif 000021